(57)【特許請求の範囲】
【請求項１】
タッチスクリーンモニターを用いて所望の情報の提供を受けることが可能なキオスクにおいて、
移動配置の容易性のための移動ローラーを有する設置台と、
前記設置台の上部に垂直方向に結合構成され、制御のためのコントロール部が設置された支持台と、
前記支持台の中央に設けられ、利用者の接近を感知する物体感知センサーと、
前記支持台の上側前面に垂直方向に設けられる一対の第１レールと、
前記支持台の下部に設けられる減速モーター及び前記支持台の上部に設けられ、かつ、チェーンによって前記減速モーターに連結された作動ギヤから構成され、前記物体感知センサーの感知に基づいて前記コントロール部によって作動する上下作動部と、
後面に第２レールとラックギヤがそれぞれ設けられて、前記第１レールと前記作動ギヤにそれぞれ結合し、上側前面には前記物体感知センサーの感知に基づいて作動して利用者の身長を感知する高さセンサーが設けられ、下側前面にはスピーカが設けられたタッチスクリーンモニターとを備え、
前記物体感知センサーによって利用者の接近が感知されると、前記コントロール部の制御に基づいて前記上下作動部が作動して前記タッチスクリーンモニターの昇降作動が行われ、前記タッチスクリーンモニターの昇降作動が、前記高さセンサーが利用者の身長に応じて利用者を感知して利用者の胸程度の高さに自動調節される
ことを特徴とする自動高さ調節機能付きキオスク。
【請求項２】
前記タッチスクリーンモニターが、身長１７０ｃｍの利用者の胸程度の高さに合わせて設置され、
前記高さセンサーが利用者を感知した場合には自動的に上昇運動し、前記高さセンサーが利用者を未感知の場合には自動的に下降運動し、前記高さセンサーが利用者の頭部の上端部に相応する箇所に位置し、利用者の感知有無が変更されると、前記コントロール部の制御によって前記タッチスクリーンモニターの昇降作動が自動停止して利用者の身長に合わせて自動的に高さ調節が行われ、
前記物体感知センサーが利用者を未感知した場合には、前記コントロール部の自動制御に基づいて身長１７０ｃｍの利用者の胸程度の高さに自動復帰することにより、便利な使用を実現することができる
請求項１に記載の自動高さ調節機能付きキオスク。
【請求項３】
利用者の身長に合わせて高さ調節が完了した前記タッチスクリーンモニターの昇降高さが、利用者が前記物体感知センサーから外れる前まで変更されない
請求項１または２に記載の自動高さ調節機能付きキオスク。
【発明の詳細な説明】
【技術分野】
【０００１】
本発明は、自動高さ調節機能付きキオスクに関し、詳しくは、物体感知センサーと高さセンサーによってタッチスクリーンモニターの高さが自動調節されるため、成人だけでなく、子供や車椅子の者、高齢者などが身長に合う高さで便利に使用することができ、物体感知センサーの未感知の場合にはタッチスクリーンモニターの設置高さが平均身長の者の胸程度の高さに自動復帰することにより、車椅子の者または子供の使用後にも利用頻度の高い一般人が便利に使用することができるうえ、高さ調節センサーの感知を用いたタッチスクリーンモニターの高さ調節完了後には、利用者が物体感知センサーの感知から外れない限りタッチスクリーンモニターの昇降高さが変更されないため、長身の周辺人により利用に不便さを感じることなく、利用者が上体を自由に動かしながら情報を検索することができ、また、昇降駆動が電気の動力を用いた減速モーター、チェーン及びラックギヤによって行われるため、タッチスクリーンモニターの重さ及びサイズに拘らずに容易な昇降駆動を実現することができ、高さセンサーがタッチスクリーンモニターの上側前面に設けられて前方の人体高さを感知するため、最近の趨勢に伴い大型に製作されるタッチスクリーンモニターのサイズ及び建物の室内高さを問わず容易に設置することができ、移動ローラーによって所望の位置に容易に移動させることができるため配置及びメンテナンスを容易に行うことができるという利点を持つ、自動高さ調節機能付きキオスクに関する。
【背景技術】
【０００２】
現在多様なキオスクが市中にあるが、利用者の背丈に合う人体工学的設計のものがないので、使用者が情報を便利に見るためには背丈に合わせてタッチスクリーンモニターの角度を調整しなければならないという不便さがあった。
また、このようなキオスクは、大衆的な平均身長に合わせて設置されているため、背のあまり高い者や子供、身体の不自由な者、特に車椅子の者が使用するには大きな難しさがあった。
【０００３】
この問題点を解決するために、車椅子の者及び子供用として高さの低いキオスクが製作されているが、この種のキオスクは健常者または背の高い人が使用するには不便さがあったため、結局、一般用と身体障害者用に区分してキオスクを重複設置しなければならないという問題点があった。これにより、設置費用及びメンテナンシ費用が過度に増大する状況が発生した。
【発明の概要】
【発明が解決しようとする課題】
【０００４】
本発明は、上述したような問題点を解決するためになされたものであり、物体感知センサーと高さセンサーによってタッチスクリーンモニターの高さが自動調節されるため、成人だけでなく、子供や車椅子の者、高齢者などが身長に合う高さで便利に使用することができ、物体感知センサーの未感知の場合にはタッチスクリーンモニターの設置高さが平均身長の者の胸程度の高さに自動復帰することにより、車椅子の者または子供の使用後にも利用頻度の高い一般人が便利に使用することができる、自動高さ調節機能付きキオスクを提供することを課題とする。
【０００５】
また、本発明の他の目的は、高さ調節センサーの感知を用いたタッチスクリーンモニターの高さ調節完了後には、利用者が物体感知センサーの感知から外れない限りタッチスクリーンモニターの昇降高さが変更されないため、  長身の周辺人により利用に不便さを感じることなく、利用者が上体を自由に動かしながら情報を検索することができる、自動高さ調節機能付きキオスクを提供することにある。
【０００６】
また、本発明の別の目的は、昇降駆動が電気の動力を用いた減速モーター、チェーン及びラックギヤによって行われるため、タッチスクリーンモニターの重さ及びサイズに拘らずに容易な昇降駆動を実現することができるうえ、高さセンサーがタッチスクリーンモニターの上側前面に設けられて前方の人体高さを感知するため、最近の趨勢に伴い大型に製作されるタッチスクリーンモニターのサイズ及び建物の室内高さを問わず容易に設置することができ、移動ローラーによって所望の位置に移動させることができるため配置及びメンテナンスを容易に行うことができる、自動高さ調節機能付きキオスクを提供することにある。
【課題を解決するための手段】
【０００７】
上記課題を達成するために、本発明の自動高さ調節機能付きキオスクは、移動配置の容易性のための移動ローラーを有する設置台と、前記設置台の上部に垂直方向に結合構成され、制御のためのコントロール部が設置された支持台と、前記支持台の中央に設けられ、利用者の接近を感知する物体感知センサーと、前記支持台の上側前面に垂直方向に設けられる一対の第１レールと、前記支持台の下部に設けられる減速モーター、及び前記支持台の上部に設けられかつチェーンによって前記減速モーターに連結された作動ギヤから構成され、前記物体感知センサーの感知に基づいて前記コントロール部によって作動する上下作動部と、後面に第２レールとラックギヤがそれぞれ設けられて前記第１レールと前記作動ギヤにそれぞれ結合し、上側前面には前記物体感知センサーの感知に基づいて作動して利用者の身長を感知する高さセンサーが設けられ、下側前面にはスピーカが設けられたタッチスクリーンモニターとを含んでなり、前記物体感知センサーによって利用者の接近が感知されると、前記コントロール部の制御に基づいて上下作動部が作動して前記タッチスクリーンモニターの昇降作動が行われ、前記タッチスクリーンモニターの昇降作動は前記高さセンサーが利用者の身長に応じて利用者を感知して利用者の胸程度の高さに自動調節されることを特徴とする。
【発明の効果】
【０００８】
本発明の自動高さ調節機能付きキオスクは、物体感知センサーと高さセンサーによってタッチスクリーンモニターの高さが自動調節されるため、  成人だけでなく、子供や車椅子の者、高齢者などが身長に合う高さで便利に使用することができ、物体感知センサーの未感知の場合にはタッチスクリーンモニターの設置高さが平均身長の者の胸程度の高さに自動復帰することにより、車椅子の者または子供の使用後にも利用頻度の高い一般人が便利に使用することができるという利点がある。
また、本発明は、高さ調節センサーの感知を用いてタッチスクリーンモニターの高さ調節が完了した後には、利用者が物体感知センサーの感知から外れない限りタッチスクリーンモニターの昇降高さが変更されないため、長身の周辺人により利用に不便さを感じることなく、利用者が上体を自由に動かしながら情報を検索することができるという利点がある。
また、本発明は、昇降駆動が電気の動力を用いた減速モーター、チェーン及びラックギヤによって行われるため、タッチスクリーンモニターの重さ及びサイズに拘らずに容易な昇降駆動を実現することができるうえ、高さセンサーがタッチスクリーンモニターの上側前面に設けられて前方の人体高さを感知するため、最近の趨勢に伴い大型に製作されるタッチスクリーンモニターのサイズ及び建物の室内高さを問わず容易に設置することができ、移動ローラーによって所望の位置に容易に移動させることができるため配置及びメンテナンスを容易に行うことができる有用な発明である。
【図面の簡単な説明】
【０００９】
【図１】本発明の自動高さ調節機能付きキオスクを示す正面図
【図２】本発明のタッチスクリーンモニターが上昇作動した状態を示す説明図
【図３】本発明のタッチスクリーンモニターが下降作動した状態を示す説明図
【図４】本発明のタッチスクリーンモニターが下降作動した状態を示す説明図
【発明を実施するための形態】
【００１０】
以下、上述した問題点を解決するための本発明の構成について説明する。
本発明は、タッチスクリーンモニター６０を用いて所望の情報の提供を受けることが可能な高さ調節機能付きキオスクに関する。本発明の高さ調節機能付きキオスクは、図１〜図４に示すように、設置台１０、支持台２０、物体感知センサー３０、第１レール４０、上下作動部５０、及びタッチスクリーンモニター６０から構成される。
【００１１】
まず、設置台１０は、本発明を設置するためのベースであって、下側には移動配置の容易性のための移動ローラー１１が設けられることに特徴があり、前記移動ローラー１１によって、設置を容易に行うことができかつメンテナンスの際にも容易に移動させて修理することができる。
【００１２】
また、支持台２０は、タッチスクリーンモニター６０が垂直方向に昇降作動できるように前記設置台１０の上部に垂直方向に結合構成されるもので、タッチスクリーンモニター６０の昇降を制御するためのコントロール部２１が設置されたことに特徴がある。
【００１３】
また、物体感知センサー３０は、前記支持台２０の中央に構成されるもので、利用者の接近を感知する作用をし、前記物体感知センサー３０の感知に応じてコントロール部２１の制御が始まってタッチスクリーンモニター３０の昇降作動が行われる。
【００１４】
また、第１レール４０は、一対からなっており、前記支持台２０の上側前面に垂直方向に設置されるもので、タッチスクリーンモニター６０の昇降作用を助ける役目をする。
【００１５】
また、上下作動部５０は、前記物体感知センサー３０の感知に応じてコントロール部２１によって作動するもので、前記支持台２０の下部に設けられる減速モーター５１と、支持台の上部に設けられかつチェーン５２によって前記減速モーター５１に連結された作動ギヤ５３とから構成されたことに特徴がある。
【００１６】
また、タッチスクリーンモニター６０は、使用者が情報を得るための手段であって、後面に第２レール６１とラックギヤ６２をそれぞれ設けている。
【００１７】
ここで、前記第２レール６１は、支持台２０に設置された第１レール４０に対応して設けられ、前記タッチスクリーンモニター６０が前記第１レール４０に滑合するようにする構成であって、タッチスクリーンモニター６０の後面両側に一対が隔設される。ラックギヤ６２は、上下作動部５０に設けられた作動ギヤ５３に結合してタッチスクリーンモニター６０の昇降作用をする構成であって、多数の鋸歯状の歯を有している。
したがって、物体感知センサー３０が利用者の接近を感知すると、コントロール部２１の作動によって減速モーター５１が駆動して、チェーン５２に連結された作動ギヤ５３を回転作動させ、これにより前記作動ギヤ５３に連動してラックギヤ６２が昇降することにより、タッチスクリーンモニター６０の昇降作動が起る。そして、前記第２レール６２は第１レール４０に滑合してタッチスクリーンモニター６０の昇降作動を安定的に案内する作用をする。
【００１８】
また、前記タッチスクリーンモニター６０の昇降作動は、高さセンサー６３が利用者を感知するか否かに応じて、すなわち利用者の身長に応じて自動作動して利用者の胸程度の高さに自動調節されるように行われるが、このような作用は、前記タッチスクリーンモニター６０の上部に設置された高さセンサー６３が利用者を感知した場合にはタッチスクリーンモニター６０が上昇作動し、高さセンサー６３が利用者を感知していない場合にはタッチスクリーンモニター６０が下降作動することにより行われる。
したがって、前記高さセンサー６３が利用者の頭部の上端部に相応する箇所に位置し、利用者の感知有無が変更されると、すなわちタッチスクリーンモニター６０の昇降作動によって高さセンサー６３が利用者を感知してから感知できないか、感知できない状態から感知すると、コントロール部２１の制御によってタッチスクリーンモニター６０の昇降作動が自動停止し、タッチスクリーンモニター６０は利用者の胸程度の高さに位置する。
【００１９】
また、前記タッチスクリーンモニター６０の下側前面には通常のスピーカ６４が設けられ、支持台２０またはタッチスクリーンモニター６０には通常のリミットセンサー（図示せず）がさらに設けられることにより、前記タッチスクリーンモニター６０の昇降高さが所定の範囲を超えるのを防止させることが好ましい。
【００２０】
また、前記タッチスクリーンモニター６０の基本設置高さは身長１７０ｃｍの利用者、すなわち平均身長を有する利用者の胸程度の高さであることが好ましく、物体感知センサー３０が利用者を未感知した場合にはコントロール部２１の自動制御に基づいて身長１７０ｃｍの利用者の胸程度の高さに自動復帰し、利用頻度の高い多数の利用者が便利な使用をすることができるようにすることが好ましく、これによれば、子供または車椅子の者の使用後にも、利用頻度の高い一般人がより速くかつ便利に使用することができる。
しかも、前記高さセンサー６３を用いて利用者の身長に合わせて高さの調節が完了したタッチスクリーンモニター６０の昇降高さは、利用者が物体感知センサー３０から外れる前まで変更されないようにすることが好ましい。
したがって、前記タッチスクリーンモニター６０の昇降高さの設定後には、利用者が物体感知センサー３０の感知から外れない限り、タッチスクリーンモニター６０の昇降高さが変更されないため、利用者が上体を自由に動かしながら情報を検索することができ、長身の周辺人によってタッチスクリーンモニター６０の高さが変更されるのを防止することができて、利用者が情報を検索するに際して不便さを感じることが防止される。
【００２１】
さらに、前記タッチスクリーンモニター６０は、電気の動力を用いた減速モーター５１、チェーン５２及びラックギヤ６２によって昇降駆動し、第１レール４０、第２レール６１によって案内される。よって、タッチスクリーンモニター６０の重さ及びサイズに拘らずに容易な昇降駆動を行うことができ、高さセンサー６３がタッチスクリーンモニター６０の上側前面に設けられ、前方の人体高さを感知するため、最近の趨勢に伴い大型に製作されるタッチスクリーンモニター６０のサイズ及び建物の室内高さを問わず容易に設置することができる。
【００２２】
次に、上述したような構成による作用について考察する。
まず、利用者が本発明の自動高さ調節機能付きキオスクに接近すると、物体感知センサー３０が利用者を感知し、前記物体感知センサー３０の感知が行われると、高さセンサー６３が自動作動して利用者の感知を確認する。
この際、利用者の身長が平均身長１７０ｃｍに達しない場合は、高さセンサー６３が利用者を感知することができないため、コントロール部２１の作動制御に基づいて、上下作動部５０に設けられた減速モーター５１が駆動し、これにより、チェーン５２によって連動する作動ギヤ５３が反時計方向に回転作動し、前記作動ギヤ５３の回転作動に伴ってラックギヤ６２が下降作動してタッチスクリーンモニター６０が第１レール４０及び第２レール６１の案内に従って下降運動する。
前記タッチスクリーンモニター６０の下降運動によって高さセンサーが利用者を感知すると、すなわち、高さセンサー６３の高さが利用者の頭部の上端部に相応する箇所に位置すると、コントロール部２１の自動制御に基づいて上下作動部５０の作動が止まることにより、タッチスクリーンモニター６０の下降作動が停止し、これにより、タッチスクリーンモニター６０は利用者の胸程度の高さに設置される。
【００２３】
一方、利用者の身長が平均身長１７０ｃｍを超える場合は、高さセンサー６３が利用者を感知しているため、コントロール部２１の自動制御に基づいて、上下作動部５０に設けられた減速モーター５１が駆動し、これにより、チェーン５２によって連動する作動ギヤ５３が時計方向に回転作動し、前記作動ギヤ５３の回転作動に伴ってラックギヤ６２が上昇作動してタッチスクリーンモニター６０が第１レール４０及び第２レール６１の案内に従って上昇運動する。
前記タッチスクリーンモニター６０の上昇運動によって高さセンサー６３が利用者の感知を外れると、すなわち、高さセンサー６３が利用者の頭部の上端部に相応する箇所に位置すると、コントロール部２１の自動制御に基づいて上下作動部５０の作動が止まることにより、タッチスクリーンモニター６０の下降作動が停止し、これにより、タッチスクリーンモニター６０は利用者の胸程度の高さに設置される。
【００２４】
上述したように、本発明の自動高さ調節機能付きキオスクを利用すると、利用者の身長に応じて、情報を検索することが可能なタッチスクリーンモニター６０の高さが自動調節されるため、利用者の身長を問わず便利な情報検索を行うことができる。
また、長身の利用者、または子供や車椅子の者などが本発明の自動高さ調節機能付きキオスクを使用すると、タッチスクリーンモニター６０の設置高さが、利用頻度の高い一般人が使用するのに不便な高さであるが、これは、先に使用した利用者が物体感知センサー３０を外れると同時に、コントロール部２１の自動制御に基づいて、タッチスクリーンモニター６０の昇降高さが平均身長１７０ｃｍの利用者の胸程度の高さである初期状態に自動復帰することにより、容易に解決することができる。よって、多数の利用者がより速くかつ便利に使用することができる。
【００２５】
特定の実施例を挙げて説明したが、本発明は、特定の実施例及び添付図面に限定されるものではなく、趣旨を逸脱しな範囲で多様な変化及び変形が可能であり、それらも本出願の権利範囲に属する。
【符号の説明】
【００２６】
１０    設置台
１１    移動ローラー
２０    支持台
２１    コントロール部
３０    物体感知センサー
４０    第１レール
５０    上下作動部
５１    減速モーター
５２    チェーン
５３    作動ギヤ
６０    タッチスクリーンモニター
６１    第２レール
６２    ラックギヤ
６３    高さセンサー
６４    スピーカ
【図１】
0005721244.tif 000002
【図２】
0005721244.tif 000003
【図３】
0005721244.tif 000004
【図４】
0005721244.tif 000005